【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
入口、シュラウド側、及びハブ側を有する下流要素と、
ハブ及び複数のブレードを備え、入口、出口、及び回転軸を有し、前記複数のブレードは各々、後端を有して前記ハブから前記ブレードのシュラウド側までスパン方向に延びる、インペラと、
前記複数のブレードの前記シュラウド側に対向する面を有し、前記ハブとともにインペラ通路を規定するシュラウドと、を備え、
前記インペラは、前記下流要素内に作動流体を排出するとともに、前記作動流体に流動場を生成し、前記出口における前記流動場は、前記ハブ及び前記シュラウドの一方に近接した弱化側と、前記ハブ及び前記シュラウドの他方に近接した強化側とを含み、前記流動場の絶対速度の子午面成分は、前記強化側において前記弱化側より大きくなるように設計及び構成され、
前記下流要素の前記シュラウド側及び前記ハブ側の少なくとも一方の一部に沿って流動方向に延び、前記流動場の前記弱化側に隣接して選択的に配置され、前記流動場の前記弱化側の一部を案内するように設計及び構成される少なくとも１つの溝部を備える、
ターボ機械。
【請求項２】
前記少なくとも１つの溝部は、前記インペラの前記入口まで延びる、請求項１に記載のターボ機械。
【請求項３】
前記少なくとも１つの溝部は、２相流動に合わせて設計、構成、及び寸法決定される、請求項２に記載のターボ機械。
【請求項４】
前記インペラの流動場の前記弱化側は、前記流動場内の流管の第１の部分の流動角度が前記流動場内の他の流管の流動角度から分岐する分岐領域を含み、
前記少なくとも１つの溝部の開始は、前記分岐領域に隣接する子午面位置、又は前記分岐領域の上流の子午面位置に配置される、請求項１に記載のターボ機械。
【請求項５】
前記ターボ機械は、動作範囲を有し、
前記分岐領域は、最上流位置と最下流位置との間の前記動作範囲に亘って変動する子午面位置を有し、
前記少なくとも１つの溝部の前記開始は、前記最上流位置に隣接する子午面位置、又は前記最上流位置の上流の子午面位置に配置される、請求項４に記載のターボ機械。
【請求項６】
前記少なくとも１つの溝部の前記開始は、前記分岐領域内の子午面位置に配置される、請求項４に記載のターボ機械。
【請求項７】
前記インペラは、子午面長さを有し、
前記少なくとも１つの溝部は、前記子午面長さの少なくとも１０％の距離、前記下流要素の前記入口より下流に配置された終了位置を有する、請求項１に記載のターボ機械。
【請求項８】
前記インペラは、子午面長さを有し、
前記少なくとも１つの溝部は、前記子午面長さの少なくとも３％の距離、前記下流要素の前記入口より下流に配置された終了位置を有する、請求項１に記載のターボ機械。
【請求項９】
前記少なくとも１つの溝部は、各々が、最大幅を有し、前記下流要素の前記入口の周りに周方向に離間する複数の溝部であり、
前記ターボ機械は、各々が、最大幅を有し、前記複数の溝部の間に延びる複数のランドをさらに含む、請求項１に記載のターボ機械。
【請求項１０】
前記複数の溝部の前記最大幅は、前記複数のランドの前記最大幅より大きい、請求項９に記載のターボ機械。
【請求項１１】
前記複数の溝部の各溝部の前記最大幅は、前記複数のランドの前記最大幅より少なくとも２倍大きく、
前記複数のランドは、流動案内リブとして構成される、請求項１０に記載のターボ機械。
【請求項１２】
前記複数のランドの前記最大幅は、前記溝部の前記最大幅より大きい、請求項９に記載のターボ機械。
【請求項１３】
前記少なくとも１つの溝部は、前記後端の上流に配置された第１の部分を含み、前記第１の部分は、略一定の幅を有する、請求項１に記載のターボ機械。
【請求項１４】
前記少なくとも１つの溝部は、前記下流要素の前記入口の下流に配置された第２の部分を含み、前記第２の部分は、変動する幅を有する、請求項１３に記載のターボ機械。
【請求項１５】
前記少なくとも１つの溝部の幅は、前記少なくとも１つの溝部の長さに沿って変動する、請求項１に記載のターボ機械。
【請求項１６】
前記少なくとも１つの溝部は、前記溝部の長さに沿って変動する深さを有し、
前記溝部は、前記後端に隣接して、又は前記後端の下流に最大深さを有する、請求項１に記載のターボ機械。
【請求項１７】
前記最大深さは、前記下流要素内に位置する、請求項１６に記載のターボ機械。
【請求項１８】
前記少なくとも１つの溝部は、前記回転軸を通って延びる子午参照面から絶対参照フレームにおいて測定された角度αで延びる接線を有する中心線を有し、αは、前記溝部の全長に亘って略一定である、請求項１に記載のターボ機械。
【請求項１９】
前記少なくとも１つの溝部は、前記回転軸を通って延びる子午参照面から絶対参照フレームにおいて測定された角度αで延びる接線を有する中心線を有し、αは、前記溝部の長さの少なくとも第１の部分に亘って変動する、請求項１に記載のターボ機械。
【請求項２０】
前記少なくとも１つの溝部は、前記回転軸を通って延びる子午参照面から絶対参照フレームにおいて測定された角度αで延びる接線を有する中心線を有し、
前記インペラの出口に隣接する前記少なくとも１つの溝部の一部の前記αは、前記インペラの出口において前記インペラによって生成される前記流動場の１次流動部分の平均絶対角度と略同一である、請求項１に記載のターボ機械。
【請求項２１】
前記流動場は、１次流動部分及び２次流動部分を含み、
前記１次流動部分は、前記インペラ通路の出口部分で公称出口角度に接近する平均絶対角度αＰを有し、
前記少なくとも１つの溝部は、前記２次流動部分の一部をαＰと略同一の角度に案内するように設計及び構成される、請求項１に記載のターボ機械。
【請求項２２】
前記流動場は、１次流動部分及び２次流動部分を含み、
前記１次流動部分は、前記インペラの入口における入口角度と等しく、前記インペラ通路の出口部分における公称出口角度に接近する平均絶対角度αＰを有し、
前記少なくとも１つの溝部は、前記回転軸を通って延びる子午参照面から絶対参照フレームにおいて測定された角度αで延びる接線を有する中心線を有し、
前記インペラの出口に隣接する前記少なくとも１つの溝部の一部の前記αは、前記入口角度と前記公称出口角度との間の値を有する、請求項１に記載のターボ機械。
【請求項２３】
前記流動場は、１次流動部分及び２次流動部分を含み、
前記１次流動部分は、前記インペラの入口における入口角度と等しく、前記インペラ通路の出口部分における公称出口角度に接近する平均絶対角度αＰを有し、
前記少なくとも1つの溝部は、前記２次流動部分の一部を前記入口角度と前記公称出口角度との間の角度に案内するように設計及び構成される、請求項１に記載のターボ機械。
【請求項２４】
前記少なくとも１つの溝部は、浸水流体通路を含む、請求項１に記載のターボ機械。
【請求項２５】
前記少なくとも１つの溝部は、前記インペラ通路と前記浸水流体通路との間の流体連通を提供するための少なくとも１つの開口をさらに含む、請求項２４に記載のターボ機械。
【請求項２６】
前記少なくとも１つの溝部は、複数の溝部であり、
前記複数の溝部のうちの少なくとも１つは、前記下流要素の前記シュラウド側に配置され、
前記複数の溝部のうちの少なくとも１つは、前記下流要素の前記ハブ側に配置される、請求項１に記載のターボ機械。
【請求項２７】
前記少なくとも１つの溝部は、前記下流要素の前記シュラウド側に配置される、請求項１に記載のターボ機械。
【請求項２８】
前記少なくとも１つの溝部は、複数の溝部であり、
前記複数の溝部のうちの少なくとも１つは、前記下流要素の前記ハブ側に配置される、請求項１に記載のターボ機械。
【請求項２９】
前記後端は、前記ハブの最下流範囲の下流に配置され、
前記少なくとも１つの溝部の開始位置は、前記最下流範囲に隣接し、かつ、前記後端の上流にある、請求項１に記載のターボ機械。
【請求項３０】
前記ハブは、前記下流要素の前記ハブ側の一部に重なり合い、
前記ハブは、前記ハブの幅を通じて延びて前記インペラ通路と前記少なくとも１つの溝部との間に流体連通を提供する少なくとも１つのアクセス開口を含む、請求項１に記載のターボ機械。
【請求項３１】
前記下流要素は、１列のブレードを含み、各ブレードの間に羽根付き通路が規定され、
前記少なくとも１つの溝部は、複数の溝部を含み、各溝部は、前記羽根付き通路の１つに対して実質的に整列される、請求項１に記載のターボ機械。
【請求項３２】
前記下流要素は、１列のブレードを含み、各ブレードの間に羽根付き通路が規定され、
前記少なくとも１つの溝部は、複数の溝部を含み、
前記複数の溝部は、各溝部の中心線が各羽根付き通路の中心線から周方向にオフセットされるように、前記羽根付き通路からクロックされる、請求項１に記載のターボ機械。
【請求項３３】
前記下流要素は、ディフューザであり、
前記下流要素の前記シュラウド側及び前記ハブ側は、幅を有するディフューザ通路を規定し、
前記ディフューザは、前記流動場の前記強化側に隣接した前記シュラウド側及び前記ハブ側の一方に凸面を備えた前記ディフューザ通路幅を小さくする少なくとも１つの強化側挟持領域を備え、
前記凸面は、前記シュラウド側及び前記ハブ側の他方における通路幅減少より大きな通路幅減少を与える、請求項１に記載のターボ機械。
【請求項３４】
前記少なくとも１つの溝部は、前記弱化側の絶対速度の前記子午面成分を増加するように設計及び構成される、請求項１に記載のターボ機械。
【請求項３５】
前記インペラは、遠心インペラである、請求項１に記載のターボ機械。
【請求項３６】
前記少なくとも１つの溝部は、前記回転軸を通って延びる子午参照面から絶対参照フレームにおいて測定された角度αで延びる接線を有する中心線を有し、
前記流動場は、子午面位置に応じて周方向に平均化された絶対角度分布を有し、
前記角度αの値は、子午面位置に応じて、前記流動場の周方向に平均化された絶対角度分布と略同一である、請求項１に記載のターボ機械。
【請求項３７】
前記少なくとも１つの溝部は、前記回転軸を通って延びる子午参照面から絶対参照フレームにおいて測定された角度αで延びる接線を有する中心線を有し、
前記流動場は、１次流動部分及び２次流動部分を含み、
前記１次流動部分は、絶対角度分布αＰ（％Ｍ）を有し
前記少なくとも１つの溝部の前記角度αは、αＰ（％Ｍ）と略同一である角度分布α（％Ｍ）を有する、請求項１に記載のターボ機械。
【請求項３８】
前記少なくとも１つの溝部は、前記後端より上流の位置から、前記下流要素の前記入口より下流の位置まで延びる、請求項１〜３７のいずれかに記載のターボ機械。
【請求項３９】
入口、シュラウド側、及びハブ側を有する下流要素と、
後端を有する複数のブレードを備えたインペラと、
前記下流要素の前記シュラウド側及び前記ハブ側の少なくとも一方に形成され、流動方向に延びる少なくとも１つの溝部と、を備え、
前記少なくとも１つの溝部は、前記インペラのブレードの前記後端より上流に配置された開始位置を有し、前記少なくとも１つの溝部の少なくとも一部は、前記下流要素の前記入口より下流に配置される、
ターボ機械。
【請求項４０】
前記インペラは、前記インペラの入口から出口までの子午面長さ（Ｍ）を有し、
前記少なくとも１つの溝部は、前記インペラが前記インペラの出口領域に亘ってもたらす流線形の曲面と略同一の流動方向曲面を有し、
前記出口領域は、前記インペラの少なくとも約１０％Ｍに亘って延びる、請求項３９に記載のターボ機械。
【請求項４１】
前記流動方向の角度プロファイルは、前記流動場の１次流動部分の平均絶対角度プロファイルである、請求項４０に記載のターボ機械。
【請求項４２】
前記流動方向の角度プロファイルは、前記流動場の平均絶対角度プロファイルである、請求項４１に記載のターボ機械。
【請求項４３】
後端を有する複数のブレードを備えたインペラと、
前記複数のブレードに対向する面を有するシュラウドと、
入口を有する下流要素と、
前記シュラウドに形成された、流動方向に延びる少なくとも１つの溝部と、を備え、
前記少なくとも１つの溝部は、前記インペラのブレードの後端から上流に延びる第１の距離に亘って前記インペラにより生成される流動場の流線形の曲面と略同一となるように設計及び構成された流動方向曲面を有する、
ターボ機械。
【請求項４４】
前記インペラは、前記インペラの入口から出口までの子午面長さ（Ｍ）を有し、
前記第１の距離は、前記後端の少なくとも１０％Ｍ上流にある、請求項４３に記載のターボ機械。
【請求項４５】
前記第１の距離は、前記後端の少なくとも３０％Ｍ上流にある、請求項４４に記載のターボ機械。
【請求項４６】
前記第１の距離は、前記下流要素の入口より下流の位置まで延びる、請求項４３〜４５のいずれかに記載のターボ機械。
【請求項４７】
前記下流要素は、先端を有する複数のブレードを含み、
前記少なくとも１つの溝部は、前記先端より下流の位置まで延びる、請求項１〜４６のいずれかに記載のターボ機械。
【請求項４８】
前記少なくとも１つの溝部は、静的である、請求項１〜４７のいずれかに記載のターボ機械。
【請求項４９】
前記少なくとも１つの溝部の少なくとも一部は、直線に沿って延びる、請求項１〜４８のいずれかに記載のターボ機械。
【請求項５０】
前記下流要素は、少なくとも１つの部分的な高さを有する羽根を含む、請求項１〜４９のいずれかに記載のターボ機械。